(57)【要約】【課題】遮光片の折畳み収納設計を採用することによって帽子の形態を名刺サイズに折り畳むことができるようにすると共に、展開することで、帽子をノーマルな使用状態にすることができ、携帯と収納に便利であり、更に、遮光片の遮光角度を調整可能にすることによって、異なる照射角度の光線を遮蔽可能にする名刺サイズ帽子を提供する。【解決手段】遮光片を固定縁部帯によって結合することにより帽子の形態を形成し、遮光片の一方の面に対称になるように、縦方向と横方向の折畳みスリットを形成し、このスリットに沿って逆方向へ折り畳むことにより遮光片の体積を縮小して、名刺サイズの収納状態を呈しせしめ、展開時、遮光片を折り畳む状態から逆に展開することにより、展開形態とし、また、遮光片の縁部には複数の調整孔が形成され、該調整孔を利用して遮蔽片の遮蔽角度を調整し、異なる角度の照射光線の遮蔽に応じられるようにする。【選択図】　　　図１
0003096989.tif 000002
【実用新案登録請求の範囲】
【請求項１】
遮光片（１）の一方の面に互いに対称になるように縦方向と横方向の折畳みスリット（１０）（１１）をそれぞれ一本以上形成すると共に、前記遮光片（１）の縁部に固定縁部帯（３）が結合され、且つ前記遮光片（１）の両側の尾端部に固定帯（３０）が取り付けられ、遮光片（１）を展開した時、展開された遮光片（１）が、両側の引っ張り端（２）と内縁の保持縁部（２０）とを有する展開形態を呈し、遮光片（１）の内縁の保持縁部（２０）を額部（４）の弧面に保持すると共に、両側の引っ張り端（２）に取り付けられた固定帯（３０）の長さを調整することで、縦方向の折畳みスリット（１０）の折り合わせ空間を内方へ合せさせ、前記展開形態の遮光片（１）の遮光面を平面の状態より弧面の状態に変化させ、遮光片（１）に設けられる縦方向と横方向の折畳みスリット（１０）（１１）に沿って且つ該スリットが設けられていない側に折り畳むことによって、収納形態になるように折り畳み、更に、固定帯（３０）によって束ねると、携帯可能な形態となり、また、遮光片（１）の引っ張り端（２）に配設される調整孔（２１）を選択し、固定帯（３０）を該選択した調整孔（２１）に結合することによって、異なる角度の照射光線の遮蔽を可能にしたことを特徴とする名刺サイズ帽子。
【請求項２】
前記固定縁部帯（３）が、遮光片（１）の縁部の両側の尾端部に沿って着脱可能に構成され、前記固定縁部帯（３）に固定帯（３０）を連結したことを特徴とする請求項１に記載の名刺サイズ帽子。
【請求項３】
前記遮光片（１）の表面には、布材または他の材質の被覆材が覆われることを特徴とする請求項１に記載の名刺サイズ帽子。
【考案の詳細な説明】
【０００１】
【考案の属する技術分野】
本考案は、名刺サイズ帽子に係わり、特に、携帯と収納に便利な名刺サイズ帽子に関するものである。
【０００２】
【従来の技術】
帽子は、日常生活において、日差しを遮蔽する目的を有するために、その役目が重要であり、且つそれぞれの場合での使用に応じるために、その呈する帽子の形態もまちまちであり、例えば、レジャー活動やスポーツなどで用いる場合には、長時間、日に当たるようになるので、帽子は欠かせないものである。一方、帽子は、特定の天候の場合でしか使用しない物品であるため、強い日差しでない場合、または雨の降らない曇りの天気の場合には、帽子を被る必要がなくなり、この場合、使用者がそれを取り外すことになる。しかしながら、帽子の造形と形態を保持するために、従来は硬質の材料によって製造され、その形態がすべて固定化されて、形が変化しないから、かなりの体積を有し、折畳み収納ができなく、しばしば使用者に携帯上の不便を与え、このような収納の課題を解消するために、多くの業者は収納可能な帽子を開発してきた。このような帽子は、一般的に軟質的な材料によって製造され、取り巻きの方式によって収納の目的を図っている。このような取り巻き収納方式は、収納する目的を一応達成しているが、その取り巻き後の体積が大であり、使用者に携帯上の不便を与えるという課題が依然としてあった。
【０００３】
【考案が解決しようとする課題】
前記のそれぞれの課題に鑑みて、本考案の考案者は、研究改良を進めた結果、収納時に名刺サイズの体積しかない名刺サイズ帽子を考案するに至った。
【０００４】
本考案は、名刺サイズ帽子を提供することをその主要な目的とし、主に遮光片を固定縁部帯によって結合することにより帽子の形態を形成し、遮光片の表面に対称しあうように縦方向と横方向の折畳みスリットを形成し、スリットと反対方向へ折り畳むことにより遮光片の体積を縮小し、以て名刺サイズの大きさの収納状態を呈しせしめ、収納に利するようにし、展開時、遮光片を折り畳む状態から逆方向へ展開することで、帽子の日差し遮蔽使用形態を形成させ、また、遮光片の縁部には複数の調整孔を形成し、該調整孔を適宜選択することで、遮蔽面の遮蔽角度を調整し、これにより、それぞれ異なる角度の照射光線の遮蔽に応じられるようにした名刺サイズ帽子を提供するものである。
【０００５】
【課題を解決するための手段】
本発明は上記した目的を達成するため、基本的には、以下に記載されたような技術構成を採用するものである。
即ち、本発明に係わる名刺サイズ帽子の第１態様は、
遮光片（１）の一方の面に互いに対称になるように縦方向と横方向の折畳みスリット（１０）（１１）をそれぞれ一本以上形成すると共に、前記遮光片（１）の縁部に固定縁部帯（３）が結合され、且つ前記遮光片（１）の両側の尾端部に固定帯（３０）が取り付けられ、遮光片（１）を展開した時、展開された遮光片（１）が、両側の引っ張り端（２）と内縁の保持縁部（２０）とを有する展開形態を呈し、遮光片（１）の内縁の保持縁部（２０）を額部（４）の弧面に保持すると共に、両側の引っ張り端（２）に取り付けられた固定帯（３０）の長さを調整することで、縦方向の折畳みスリット（１０）の折り合わせ空間を内方へ合せさせ、前記展開形態の遮光片（１）の遮光面を平面の状態より弧面の状態に変化させ、遮光片（１）に設けられる縦方向と横方向の折畳みスリット（１０）（１１）に沿って且つ該スリットが設けられていない側に折り畳むことによって、収納形態になるように折り畳み、更に、固定帯（３０）によって束ねると、携帯可能な形態となり、また、遮光片（１）の引っ張り端（２）に配設される調整孔（２１）を選択し、固定帯（３０）を該選択した調整孔（２１）に結合することによって、異なる角度の照射光線の遮蔽を可能にしたことを特徴とするものであり、
叉、第２態様は、
前記固定縁部帯（３）が、遮光片（１）の縁部の両側の尾端部に沿って着脱可能に構成され、前記固定縁部帯（３）に固定帯（３０）を連結したことを特徴とするものであり、
叉、第３態様は、
前記遮光片（１）の表面には、布材または他の材質の被覆材が覆われることを特徴とするものである。
【０００６】
【作用】
本考案の考案者は、前記のそれぞれの課題に鑑みつつ、目前の帽子が携帯に不便であることを考慮し、積極的に研究改良を進め、前記の従来の帽子の諸課題を解消することを目標とし、名刺サイズ帽子を提案し、前記のように、遮光片の折畳み収納設計を採用することによって、帽子を名刺サイズに折り畳むことができるようにすると共に、展開後に帽子のノーマルな使用状態を呈させることもでき、携帯と収納に便利であり、更に、遮光片の遮光角度の調整を可能にしたため、異なる照射角度の光線をそれぞれ遮蔽可能にした。
【０００７】
【考案の実施の形態】
以下に添付図面を参照しながら本考案の好適な実施の形態を詳細に説明する。
【０００８】
図１と図２に示すように、本考案による名刺サイズ帽子には、遮光片１と固定縁部帯３とを含み、そのうち、遮光片１の構造は、その両側に引っ張り端２を有すると共に、その内縁部に保持縁部２０を有し、遮光面において対称になるように一本以上の縦方向の折畳みスリット１０と横方向の折畳みスリット１１を形成し、その引っ張り端２には、それぞれ複数の調整孔２１を設け、固定縁部帯３が遮蔽片１を囲むように配設され、両側の引っ張り端２における調整孔２１に固定帯３０を連接し、且つ固定手段３１により、その固定帯３０の使用長さを調整し、それぞれの形態による帽子の形態を形成する（図２参照）。
【０００９】
帽子を頭部４に被る際に、図３乃至図５に示すように、前記遮光片１の一方の面部に形成される縦方向の折畳みスリット１０が上部が狭く下部が広いように形成され、固定縁部帯３によって位置決められ、被ることによる後向きの引っ張り力と、額部４と内縁部の保持縁部２０の前向きの差出力（図５参照）によって、縦方向の折畳みスリット１０の折り合わせ空間を内方へ合せさせて、スリット１０の幅を縮減させ、遮光片１が弧面を呈する日差し遮蔽状態を形成させる（図６参照）。
【００１０】
光線の直射の問題に応じるために（図７参照）、遮光片１の両側の引っ張り端２には、複数の調整孔２１が設けられ、それらに対し固定縁部帯３の変位調整を実行するによって、即ち、調整孔２１を適宜選択し、調整孔２１に対する固定帯３０の上下の位置合わせを行うことで、引っ張り端２を上下に変位させ、これにより、遮光片１の日差し遮蔽角度を上向きまたは下向きに調整することによって（図８参照）、遮光片１を顔部に付着させるぐらい迄に、即ち、マスクのような形態にまで調整することができるようになっている（図９参照）。
【００１１】
被らない場合、または収納しようとする場合、遮光片１に設けられる縦方向と横方向の折畳みスリット１０、１１に沿って、且つ、該スリットが設けられていない側に折り畳むことによって、収納形態になるように折り畳み、更に、固定帯３０によって束ねると、携帯可能な形態となる。即ち、図１１に示したように、横方向の折畳みスリット１１を固定帯３０と共に、遮光片１を折畳み、更に、図１２に示したように、両側の縦方向の折畳みスリット１０に沿って外方から内方へ折り畳んでから、中央の単一の折畳みスリット１０に沿って対向しあうように折り畳み、固定帯３０によって束ねると、図１３に示したように、携帯可能な形態となり、名刺のサイズのような収納構造となり、収納に利するようになる。
なお、固定縁部帯３が、遮光片１の縁部の両側の尾端部に沿って着脱可能になるように構成しても良い。
叉、前記遮光片１の表面が、布材または他の材質の被覆材で覆われるように構成しても良い。
【００１２】
図１４は、本考案の他の実施の形態であり、遮光片１に一以上の縦方向と横方向の折畳みスリット１０，１１を形成し、且つその周りに固定縁部帯３を囲んで位置決めさせ、且つ両側の引っ張り端２より直接的に固定帯３０を延出形成させ、また、固定手段３１を使って固定帯３０の長さをコントロールするように構成したものである。
【００１３】
図１５は、本考案の他の実施の形態であり、遮光片１の上縁部にマークまたはパターン等の図柄を表示する表示部を形成し、この表示部を直立状態にした場合の斜視図である。
【００１４】
前記に説明したように、本考案は確実に予期した目的を図れ、且つ従来の帽子より優れた実用性と進歩性とを有する。
【００１５】
このように、本発明に係わる名刺サイズ帽子は、
遮光片１の一方の面に互いに対称になるように縦方向と横方向の折畳みスリット１０、１１をそれぞれ一本以上形成すると共に、前記遮光片１の縁部に固定縁部帯３が結合され、且つ前記遮光片１の両側の尾端部に固定帯３０が取り付けられ、遮光片１を展開した時、展開された遮光片１が、両側の引っ張り端２と内縁の保持縁部２０とを有する展開形態を呈し、遮光片１の内縁の保持縁部２０を額部４の弧面に保持すると共に、両側の引っ張り端２に取り付けられた固定帯３０の長さを調整することで、縦方向の折畳みスリット１０の折り合わせ空間を内方へ合せさせ、前記展開形態の遮光片１の遮光面を平面の状態より弧面の状態に変化させ、遮光片１に設けられる縦方向と横方向の折畳みスリット１０、１１に沿って且つ該スリットが設けられていない側に折り畳むことによって、収納形態になるように折り畳み、更に、固定帯３０によって束ねると、携帯可能な形態となり、また、遮光片１の引っ張り端２に配設される調整孔２１を選択し、固定帯３０を該選択した調整孔２１に結合することによって、異なる角度の照射光線の遮蔽を可能にしたことを特徴とするものである。
【００１６】
【考案の効果】
本考案は下記のような効果を奏する。
（１）本考案は、帽子の遮光片に縦方向と横方向の折畳みスリットと調整孔を設けると共に、固定縁部帯の引っ張り力を合せることにより、遮光片は、展開時に自然な弧面を有する遮光片となり、これにより、所定の形を維持できる。
（２）本考案は、縦方向と横方向の折畳みスリットを利用することにより、遮光片を平たくし、名刺のような携帯可能な状態にすることができるので、携帯と収納に便利な優れた効果を達成できる。
（３）本考案は、容易に遮光角度を調整できるから、異なる角度の照射光線の遮蔽に応じられる。
【図面の簡単な説明】
【図１】本考案の構造を示す斜視図である。
【図２】本考案の被る状態を示す説明図である。
【図３】本考案の遮光片を示す断面図である。
【図４】本考案の遮光片の構造を示す拡大図である。
【図５】本考案の被る場合の力の分布状態を示す分析図である。
【図６】本考案の遮光片の弧面状態を示す説明図である。
【図７】本考案の被る状態を示す説明図である。
【図８】本考案の調整状態を示す説明図である。
【図９】本考案のマスク形態を示す説明図である。
【図１０】本考案の折畳み収納状態（一）を示す説明図である。
【図１１】本考案の折畳み収納状態（二）を示す説明図である。
【図１２】本考案の折畳み収納状態（三）を示す説明図である。
【図１３】本考案の収納状態を示す説明図である。
【図１４】本考案の他の実施の形態を示す説明図である。
【図１５】本考案の他の実施の形態を示す説明図である。
【符号の説明】
１　　　　遮光片
２　　　　引っ張り端
３　　　　固定縁部帯
４　　　　額部
１０　　　縦方向折畳みスリット
１１　　　横方向折畳みスリット
１２　　　折畳みスリット
２０　　　保持縁部
２１　　　調整孔
３０　　　固定帯
３１　　　固定手段
【図１】
0003096989.tif 000003
【図２】
0003096989.tif 000004
【図３】
0003096989.tif 000005
【図４】
0003096989.tif 000006
【図５】
0003096989.tif 000007
【図６】
0003096989.tif 000008
【図７】
0003096989.tif 000009
【図８】
0003096989.tif 000010
【図９】
0003096989.tif 000011
【図１０】
0003096989.tif 000012
【図１１】
0003096989.tif 000013
【図１２】
0003096989.tif 000014
【図１３】
0003096989.tif 000015
【図１４】
0003096989.tif 000016
【図１５】
0003096989.tif 000017